(57)【要約】      （修正有）【課題】防水パッキンによって光学フィルムの反射防止機能が失われる虞が少ない表示装置を提供する。【解決手段】表示装置は、ハウジングに表示器を収容したものであり、ハウジングは、表示器を視認するための透光板７０と、透光板７０の外周に配設された防水パッキン９０と、透光板７０に貼着された光学フィルム８０と、防水パッキン９０と光学フィルム８０の間に配設された保護部材１１０を有し、防水パッキン９０と光学フィルム８０は当接していない。【選択図】図２
2017097172.tif 000002
【特許請求の範囲】
【請求項１】
表示器と、前記表示器を視認するための透光板と前記透光板の外周に配設された防水パッキンとを有するハウジングと、を備え、前記ハウジングに前記表示器を収容した表示装置であって、
前記ハウジングは、前記透光板に貼着された光学フィルムを更に有し、前記防水パッキンと前記光学フィルムは当接していないことを特徴とする表示装置。
【請求項２】
前記ハウジングは、前記防水パッキンと前記光学フィルムの間に配設された保護部材を更に有することを特徴とする請求項１に記載の表示装置。
【発明の詳細な説明】
【技術分野】
【０００１】
本発明は、ハウジングに表示器を収容した表示装置に関するものである。
【背景技術】
【０００２】
従来より、指針式計器等の表示器をハウジングに収容した表示装置が種々提案されており、例えば特許文献１に開示されている。特許文献１に記載された表示装置は、表示器を視認するための透光板と、この透光板の外周に配設された防水パッキンとを備えている。一方、モスアイ構造と称される微細な凹凸を有する光学フィルムが提案されており、例えば特許文献２に開示されている。表示装置の透光板に光学フィルムを貼着した場合、透光板における外光反射を防止することができ、視認性を向上させることができる。
【先行技術文献】
【特許文献】
【０００３】
【特許文献１】特開２０１５−１３５４３０号公報
【特許文献２】特開２０１４−１６４１０２号公報
【発明の概要】
【発明が解決しようとする課題】
【０００４】
しかしながら、防水パッキンと光学フィルムとが当接していると、光学フィルムの反射防止機能が失われてしまうという問題を有していた。例えば、防水パッキンと光学フィルムとが当接した箇所の近傍で、防水パッキンから出た油が、光学フィルムの機能面（微細な凹凸が形成されている面）を浸食して、光学フィルムが反射防止機能を失ってしまう虞があった。
本発明は、この問題に鑑みなされたものであり、防水パッキンによって光学フィルムの反射防止機能が失われる虞が少ない表示装置を提供するものである。
【課題を解決するための手段】
【０００５】
本発明は、表示器１と、前記表示器１を視認するための透光板７０と前記透光板７０の外周に配設された防水パッキン９０とを有するハウジング２と、を備え、前記ハウジング２に前記表示器１を収容した表示装置であって、前記ハウジング２は、前記透光板７０に貼着された光学フィルム８０を更に有し、前記防水パッキン９０と前記光学フィルム８０は当接していないものである。
【０００６】
また、本発明は、前記ハウジング２は、前記防水パッキン９０と前記光学フィルム８０の間に配設された保護部材１１０を更に有するものである。
【発明の効果】
【０００７】
防水パッキンと光学フィルムとが当接していないため、光学フィルムの反射防止機能が失われる虞が少ない。
【図面の簡単な説明】
【０００８】
【図１】本発明の第一実施形態を示す正面図。
【図２】同上実施形態を示すＡ−Ａ断面図。
【図３】同上実施形態を示す要部拡大断面図。
【図４】本発明の第２実施形態を示す要部拡大断面図。
【図５】本発明の第３実施形態を示す要部拡大断面図。
【発明を実施するための形態】
【０００９】
以下、添付図面に基づいて、本発明の一実施形態を説明する。図１乃至図３は、第一実施形態を示すものである。車両用表示装置は、指針式計器（表示器）１をハウジング２に収容したものである。指針式計器１は、指針１０と、回路基板２０と、ケース体３０と、表示板４０と、を備えている。
【００１０】
指針１０は、透光性樹脂からなる指示部１１と、不透明な樹脂からなる指針キャップ１２と、回動軸２２ａが圧入されるボス部１３と、指示部１１を載置する指針座１４とを有しており、後述する指標部４１を指示部１１にて指示する。指針１０のボス部１３及び指針座１４は、黒色樹脂にて一体形成されている。
【００１１】
回路基板２０は、基板本体２１と、基板本体２１の後面側に実装された指針駆動部２２と、基板本体２１の表面側に実装された発光素子２４，２５と、を備えており、表示板４０の後側に配置されている。
【００１２】
基板本体２１は、平板状のガラスエポキシ系基材に、指針駆動部２２を駆動させる駆動回路、発光素子２４，２５を発光させる発光回路等を形成した硬質プリント基板からなる。駆動回路及び発光回路は、夫々、配線パターン，抵抗，コンデンサ等によって構成される。駆動回路は、制御部から供給される制御信号に基づいて、指針駆動部２２を駆動する。発光回路は、制御部から供給される制御信号に基づいて、発光素子２４，２５を発光させる。
【００１３】
指針駆動部２２は、可動磁石式駆動装置，ステッピングモータ等からなるものである。指針駆動部２２の回動軸２２ａには、指針１０が取り付けられる。指針１０のボス部１３は、表示板４０に形成された貫通孔４０ｃに挿入される。表示板４０の貫通孔４０ｃは、指針駆動部２２の回動軸２２ａに対応する個所に形成されており、表示板４０を貫通している。
【００１４】
基板本体２１の駆動回路は、制御部から供給される制御信号に基づいて、指針駆動部２２を駆動して、指針１０は、制御信号に応じた回転角度で回動軸２２ａを回転させる。これによって、指針１０が車両速度に応じた所定の回転角度で回転し、指針１０の指示部１１が指標部４１を指示する。
【００１５】
発光素子２４，２５は、夫々、１個以上の発光ダイオード等によって構成される。発光素子２４は、表示板４０を透過照明する。発光素子２５は、指針１０の指示部１１を光輝させる。発光素子２４，２５は、制御部から供給される制御信号に基づいて駆動され、車両運転者によって操作されるイルミネーションスイッチ等に応じてオン／オフされる。
【００１６】
ケース体３０は白色の合成樹脂（例えば、ポリプロピレン）からなり、このケース体３０に回路基板２０が固定されている。ケース体３０は、垂直部３１，傾斜部３２，平行部３３，傾斜部３４，垂直部３５を有している。ケース体３０の垂直部３１は、円筒形状になっており、前端が表示板４０の後面に当接し、後端が回路基板２０の前面に当接している。ケース体３０の垂直部３１は、発光素子２４が発する照明光と、発光素子２５が発する照明光とが混合されることを防ぐ遮光壁になっている。
【００１７】
ケース体３０の傾斜部３２は、垂直部３１の外周面から逆円錐状に広がる形状になっている。ケース体３０の傾斜部３２は、発光素子２４が発した照明光を平行部３３，傾斜部３４に向けて反射させる。ケース体３０の平行部３３は、表示板４０と平行な平板形状になっている。ケース体３０の傾斜部３４は、逆円錐状になっており、平行部３３の外周端に連なっている。ケース体３０の傾斜部３４は、発光素子２４が発した照明光を表示板４０に向けて反射させる。
【００１８】
ケース体３０の垂直部３５は、円筒形状になっており、後端が回路基板２０の前面に当接している。ケース体３０の垂直部３５は、傾斜部３４の外周端に連なっている。ケース体３０の垂直部３５は、前端が表示板４０の後面に当接し、後端が回路基板２０の前面に当接している。
【００１９】
表示板４０は、透光性シートからなる基材の前面に印刷層を形成したものであり、指針１０に指示される指標部４１を有している。表示板４０の指標部４１は、貫通孔４０ｃを中心とした円弧状に配置されている。表示板４０の指標部４１は、発光素子２４が発した照明光によって透過照明される。
【００２０】
ハウジング２は、下ケース６０と、透光板７０と、光学フィルム８０と、防水パッキン９０と、枠体１００と、保護部材１１０と、を備えており、指針式計器１を収容している。
【００２１】
下ケース６０は、不透明な樹脂からなり、底壁６１及び周壁６２を有している。下ケース６０の底壁６１には、支持部６１ａが突出形成されており、この支持部６１ａに指針式計器１が固定されている。透光板７０は、アクリル等の透光性樹脂からなり、平板形状になっている。光学フィルム８０は、透光板７０の後面に貼着されたモスアイフィルムからなるものであり、光学フィルム８０の後面は、モスアイ構造と称される微細な凹凸を有している。光学フィルム８０は、周壁６２の開口６２ａよりも大きくなっている。
【００２２】
防水パッキン９０は、合成ゴム等の弾性部材からなっており、透光板７０及び光学フィルム８０の周囲を囲む枠状になっている。防水パッキン９０は、前面部９１，側面部９２，後面部９３を有する断面コ字状になっている。防水パッキン９０の前面部９１は、透光板７０の前面に当接している。防水パッキン９０の側面部９２は、透光板７０の側端面に当接している。防水パッキン９０の後面部９３は、保護部材１１０に当接している。
【００２３】
枠体１００は、不透明な樹脂または金属からなるものであり、防水パッキン９０の前面部９１及び側面部９２を覆う。枠体１００は、下ケース６０の周壁６２に固定されている。保護部材１１０は、光学フィルム８０と防水パッキン９０が当接しないように、光学フィルム８０と防水パッキン９０の間に配設されている。保護部材１１０は、光学フィルム８０の後面に形成された印刷層であるが、例えば、硬質の樹脂からなるものであっても良い。
【００２４】
図４は、第２実施形態を示すものである。防水パッキン１９０は、前面部１９１，側面部１９２を有する断面Ｌ字状になっている。防水パッキン１９０の前面部１９１は、透光板７０の前面に当接している。防水パッキン１９０の側面部１９２は、透光板７０の側端面に当接している。防水パッキン１９０は、透光板７０の後面に貼着された光学フィルム８０とは当接していない。光学フィルム８０は、周壁６２の開口６２ａよりも大きくなっている。
【００２５】
図５は、第３実施形態を示すものである。防水パッキン２９０は、前面部２９１，側面部２９２，後面部２９３を有する断面コ字状になっている。防水パッキン２９０の前面部２９１は、透光板７０の前面に当接している。防水パッキン２９０の側面部２９２は、透光板７０の側端面に当接している。防水パッキン２９０の後面部２９３は、透光板７０の後面に当接している。防水パッキン２９０の後面部２９３は、透光板７０の後面に貼着された光学フィルム８０と間隙Ｓを有しており、光学フィルム８０とは当接していない。光学フィルム８０は、周壁６２の開口６２ａよりも小さくなっている。
【００２６】
本発明は、指針式計器１と、前記指針式計器１を視認するための透光板７０と前記透光板７０の外周に配設された防水パッキン９０とを有するハウジング２と、を備え、前記ハウジング２に前記指針式計器１を収容した表示装置であって、前記ハウジング２は、前記透光板７０に貼着された光学フィルム８０を更に有し、前記防水パッキン９０と前記光学フィルム８０は当接していないものであり、防水パッキン９０によって光学フィルム８０の反射防止機能が失われる虞が少ない。
【００２７】
第３実施形態のように、光学フィルム８０が周壁６２の開口６２ａよりも小さい場合、表示装置を斜めから見たときに、間隙Ｓが視認されてしまうため、第１実施形態または第２実施形態のように、光学フィルム８０は周壁６２の開口６２ａよりも大きいことが望ましい。
【００２８】
なお、本発明は、各実施形態に限定されるものではなく、種々の変形が可能であり、例えば、各実施形態の表示器は指針式計器１であったが、表示器は液晶表示器であっても良い。また、各実施形態の光学フィルム８０はモスアイフィルムであったが、例えば、アンチグレアフィルムであっても良い。
【符号の説明】
【００２９】
１    指針式計器（表示器）
２    ハウジング
１０    指針
２０    回路基板
２２    指針駆動部
２２ａ  回動軸
２４    発光素子
２５    発光素子
４０    表示板
４０ｃ  貫通孔
４１    指標部
７０    透光板
８０    光学フィルム
９０    防水パッキン
１９０    防水パッキン
２９０    防水パッキン
【図１】
2017097172.tif 000003
【図２】
2017097172.tif 000004
【図３】
2017097172.tif 000005
【図４】
2017097172.tif 000006
【図５】
2017097172.tif 000007